(57)【要約】【課題】光量調節羽根がストッパー部材に突き当たる際の衝撃音を小さくする。【解決手段】光が通過する開口部に対して進退することで該開口部の通過光量を調節する光量調節羽根９と、該光量調節羽根を回動させて前記開口部に対して進退させる駆動手段と、前記光量調節羽根の前記開口部に対しての進退時における一方から他方への回動停止位置を決めるストッパー部材１１ａ，１１ｂとを有し、前記ストッパー部材を弾性部材により構成するとともに、前記光量調節羽根と前記ストッパー部材が当接した際の接触する面の長さが短くなるように、前記光量調節羽根の当接面側を凸形状９ｄ（９ｅ）にしている。【選択図】        図４
2004151352.tif 000002
【特許請求の範囲】
【請求項１】
光が通過する開口部を有する地板と、前記開口部に対して進退することで該開口部の通過光量を調節する光量調節羽根と、該光量調節羽根を回動させて前記開口部に対して進退させる駆動手段と、前記光量調節羽根の前記開口部に対しての進退時における一方から他方への回動停止位置を決めるストッパー部材とを有する光量調節装置において、
前記ストッパー部材を弾性部材により構成するとともに、前記光量調節羽根と前記ストッパー部材が当接した際の接触する面の長さが短くなるように、前記光量調節羽根もしくは前記ストッパー部材の当接面側の一方を凸形状にしたことを特徴とする光量調節装置。
【発明の詳細な説明】
【０００１】
【発明の属する技術分野】
本発明は、デジタルスチルカメラ等の光学機器に用いられる光量調節装置の改良に関するものである。
【０００２】
【従来の技術】
地板に設けられた開口部の口径（開放口径）よりも小さい口径の絞り開口を有した少なくとも１枚の絞り羽根を前記開口部内に進退させてその開口口径を切り換え、通過光量を調節する光量調節装置はデジタルスチルカメラ等において広く用いられている。
【０００３】
この種の装置において、前記絞り羽根の静止位置の位置決めの方法としては、図７に示すように、ポリカーボネート等の樹脂製の地板１を成形して設けた突起形状のストッパー部１ｘ，１ｙに、絞り羽根９の端面を突き当てる方法が従来から取られてきた（特許文献１）。なお、図７に示すその他の構成部材については、後述の図１に示したものと同じであるので、図１の説明時に行う。
【０００４】
【特許文献１】
特開２００１−７５１４３号公報
【０００５】
【発明が解決しようとする課題】
ところが、地板１はポリカーボネート等の硬い樹脂で出来ているので、絞り羽根９がストッパー部１ｘ，１ｙに突き当たるときに、大きな衝突音が出るという不具合があった。
【０００６】
近年の、光量調節装置を必要とするデジタルスチルカメラは、動画記録が出来るものが一般的であり、動画の記録と同時に内蔵されたマイクにより、音声も記録されるようになっている。動画を記録しているときに、直射日光の当たっている被写体から、日陰の被写体へパンニングしたときや、逆に日陰の被写体から、直射日光の当たっている被写体へパンニングしたとき等のように、光量が急激に変化したときに、光量を調節する為に絞り羽根が作動することがあるが、その際に、絞り羽根がストッパー部へ突き当たる衝突音がマイクで拾われてしまい、音声に雑音として記録されてしまう問題があり、絞り羽根がストッパー部へ突き当たるときの衝突音を、出来るだけ小さくしたいという要望があった。
【０００７】
（発明の目的）
本発明の目的は、光量調節羽根がストッパー部材に突き当たる際の衝撃音を小さくすることのできる光量調節装置を提供しようとするものである。
【０００８】
【課題を解決するための手段】
上記目的を達成するために、本発明は、光が通過する開口部を有する地板と、前記開口部に対して進退することで該開口部の通過光量を調節する光量調節羽根と、該光量調節羽根を回動させて前記開口部に対して進退させる駆動手段と、前記光量調節羽根の前記開口部に対しての進退時における一方から他方への回動停止位置を決めるストッパー部材とを有する光量調節装置において、前記ストッパー部材を弾性部材により構成するとともに、前記光量調節羽根と前記ストッパー部材が当接した際の接触する面の長さが短くなるように、前記光量調節羽根もしくは前記ストッパー部材の当接面側の一方を凸形状にした光量調節装置とするものである。
【０００９】
【発明の実施の形態】
以下、本発明を図示の実施の形態に基づいて詳細に説明する。
【００１０】
（実施の第１の形態）
図１乃至図４は本発明の実施の一形態に係る、シャッタ機構を備えた光量調節装置に関する図であり、詳しくは、図１は光量調節装置の分解斜視図、図２は開口部内へ絞り羽根が進入して、小絞り口径状態になった場合を示す平面図、図３は開口部から絞り羽根が移動して、開放口径状態になった場合を示す平面図、図４はストッパー部分について説明するための拡大図である。なお、図２及び図３では、絞り羽根とストッパー部材であるストッパーゴムとの関係を解り易くする為に、羽根押え板を除いた平面図としている。
【００１１】
図１乃至図４において、１はポリカーボネート等の樹脂製より成る基板部材であるところの地板である。２は後述の絞り羽根８を駆動するための電磁駆動ユニットであり、図１（ｂ）にその構成を示す。
【００１２】
図１（ｂ）において、２０はローターマグネットであり、該ローターマグネット２０は、先端に駆動ピン３ｃを具備した駆動レバー３と、該駆動レバー３にインサート成形又は圧入等により配置された永久磁石２０ａを備える。また、駆動レバー３の上下端面には回転軸３ａ，３ｂが取り付けられており、該回転軸３ａ，３ｂは、地板１のマグネットの軸受け穴１ａ（図１（ａ）参照）とマグネットカバー７の軸受け穴７ａにより回転自在に嵌合保持されている。また、永久磁石２０ａの外周曲面は、２極に着磁されて磁極が形成されている。４は軟磁性材料から成るステータヨークであり、地板１に固定されている。５は導線からなる巻線コイルであり、前記ステータヨーク４を複数枚（１〜ｎ）積層連結した後に該巻線コイル５が挿入される。前記駆動レバー３に設けられた駆動ピン３ｃは、図１（ａ）に示す地板１に設けられた扇穴１ｄに挿入される。
【００１３】
後述するシャッタ羽根８を駆動するための電磁駆動ユニットも、上記電磁駆動ユニット２と同様の構成であるので、図１においては図の煩雑化を避けるためにシャッタ羽根８を駆動するための電磁駆動ユニットの分解斜視図については割愛する。
【００１４】
図１（ａ）等の図に戻り、８は不図示の電磁駆動ユニットにより駆動されるシャッタ羽根であり、不図示の電磁駆動ユニットにより駆動される。９は絞り羽根であり、地板１に回転可能に嵌合されたローターマグネット２０の回転軸３ｂが地板１より突出して該回転軸３ｂに絞り羽根９の回転軸穴９ａが嵌合されることで、該絞り羽根９は地板１に対して回転自在に保持される。前記シャッタ羽根８及び絞り羽根９には、長穴８ｂ、長穴９ｂが形成されており、長穴９ｂにはローターマグネット２０に形成された駆動ピン３ｃが摺動可能に嵌合する。
【００１５】
ローターマグネット２０とともに駆動ピン３ｃが回転することにより絞り羽根９も回動し、地板１の開口部１ｃに対して該絞り羽根９が進入もしくは退避して、絞り口径の切り換えを行う。絞り開口９ｃは開口部１ｃより小さい直径の穴であり、絞り羽根９が回動して光軸上に配置されたときに、開口部１ｃの開口を小さく絞るように機能する。絞り羽根９の外周には凸形状９ｄ，９ｅが設けられており、該絞り羽根９が回動したときに、凸形状９ｄは後述のストッパーゴム１１ａに（図３参照）、凸形状９ｅは後述のストッパーゴム１１ｂに（図２参照）、それぞれ当接するようにその位置が決定されている。
【００１６】
シャッタ羽根８も同様に、光軸上に進退することにより、開口部１ｃの遮蔽、開放動作をする。３０ｂは前記シャッタ羽根８の回転軸穴８ａが挿入される回転軸であり、シャッタ羽根８は該回転軸３０ｂにより地板１に対して回転自在に保持される。前記長穴８ｂには、駆動ピン３０ｃが摺動可能に嵌合する。１ｆはシャッタ羽根８を駆動するための駆動ピン３０ｃの作動範囲規制機能を備えた扇穴である。シャッタ動作については、本発明とは直接関係しないのでこれ以上の説明は省略する。
【００１７】
１０は、地板１との間に、シャッタ羽根８、絞り羽根９が走行できる適宜な空隙を設けるように配置された羽根押え板である。１１ａ，１１ｂはゴム素材の絞り羽根９のストッパーゴムであり、地板１に設けられた角穴１ｄ，１ｅにそれぞれ嵌合され、羽根押え板１０に設けられたストッパー押え部１０ａ，１０ｂに押えられて保持されている。
【００１８】
地板１上に形成された突起形状１ｇ，１ｈはシャッタ羽根８のストッパー部である。１ｉ，１ｊは、シャッタ羽根８、絞り羽根９が走行できる適宜な空隙を設けるように、前記羽根押さえ板１０を配置、ねじ止め可能にするための取付脚であり、羽根押え板１０はねじ１２，１３により取付脚１ｉ，１ｊにねじ止めされる。
【００１９】
上記のように構成された、シャッタ機構を備えた光量調節装置は、デジタルスチルカメラ等のレンズ鏡筒の円周壁内に配置される。
【００２０】
次に、絞り羽根９の作動について説明する。
【００２１】
巻線コイル５への通電が断たれている状態では、ステータヨーク４が非励磁状態にあり、ローターマグネット２０の永久磁石２０ａと、これに対向して配置されたステータヨーク４との吸引する力（ディテント力）によって、ローターマグネット２０は図３の位置状態に保持される。ローターマグネット２０がこの位置にあるときは、絞り羽根９の凸形状９ｄは図示位置で、地板１に嵌合保持されたストッパーゴム１１ａに当接する方向に磁気的に吸引されて、その状態が保持されている。
【００２２】
この状態から、巻線コイル５への通電がなされてステータヨーク４とローターマグネット２０との間に吸引力と反発力が生じると、ローターマグネット２０が図示の状態から時計回りの方向に約４０°〜５０°回転し、絞り羽根９の凸形状９ｅがストッパーゴム１１ｂに当接して停止する。これにより、絞り羽根９の絞り開口９ｃが開口部１ｃ内へ進入し、該開口部１ｃの開口状態を図３の開放から図２の小絞り口径状態にする。
【００２３】
ここで、永久磁石２０ａの磁極とステータヨーク４の配置関係は、ローターマグネット２０の全作動角度４０°〜５０°の中間点である約２０〜２５°の作動位置でディテント力がゼロとなり、ディテントの方向も左右に切り換わるように配置されている。
【００２４】
従って、巻線コイル５に通電して、ローターマグネット２０が絞り羽根９を回動させた後に、前記巻線コイル５への通電をＯＦＦの状態にしても、ディテント力で絞り羽根９が作動端位置に配置されたストッパーゴム１１ｂに当接した状態で安定停止する。
【００２５】
次に、巻線コイル５へ逆向きに電流が流れるように通電制御を行うと、ステータヨーク４とローターマグネット２０との間に反発力と吸引力が生じて、ローターマグネット２０が図２の状態から反時計回りの方向に約４０°〜５０°回転して、絞り羽根９の凸形状９ｄがストッパーゴム１１ａに当接して停止し、該絞り羽根９は図３に示す初期の位置、すなわち開放口径状態になる。
【００２６】
このように、巻線コイル５への正、逆通電による磁気的な吸引、反発動作の２つの力を働かせて絞り羽根９を円弧状に回動させ、該絞り羽根９の端面の凸形状９ｄ，９ｅをストッパーゴム１１ａ，１１ｂへ突き当てさせる。
【００２７】
図４はストッパー部分を示す図であり、詳しくは、絞り羽根９の凸形状９ｄ（９ｅ）とストッパーゴム１１ａ（１１ｂ）との接触部を拡大して示した図である。
【００２８】
上記実施の第１の形態によれば、絞り羽根９の回動を停止するためのストッパー部を、地板１とは別の部材、つまり弾性部材（ストッパーゴム１１ａ（１１ｂ））により構成するとともに、前記絞り羽根９と前記ストッパー部が当接した際の接触する面の長さが短くなるように、前記絞り羽根９の当接面側の一方を凸形状（凸形状９ｄ（９ｅ））にしている。
【００２９】
よって、絞り羽根９の凸形状９ｄ（９ｅ）とストッパーゴム１１ａ（１１ｂ）の接触面積が小さくなり、接触圧が局部的に掛かることで比較的軽い力（軽量化の為に重量の軽い材質で絞り羽根は形成されているため）でも図４中の矢印方向に大きな圧力が掛かり、この圧力を受けてストッパーゴム１１ａ（１１ｂ）が凸形状９ｄ（９ｅ）に合わせた形に撓む。すなわち、絞り羽根９の運動エネルギーは、ストッパーゴム１１ａ（１１ｂ）を変形させて熱エネルギーに変換されるので、ストッパーゴム１１ａ（１１ｂ）を叩いて振動さて音を発生させる、いわゆる衝突音を発生させることが無くなる。
【００３０】
詳しくは、絞り羽根９は質量の軽い素材で作られているので、重量の軽い絞り羽根９がストッパー部（ストッパーゴム１１ａ（１１ｂ））に突き当たったときの衝突音を和らげる為には、小さな圧力でも十分にストッパー部が撓むように、ストッパー部の硬度を非常に小さくする必要がある。しかし、ストッパー部の材質の硬度を下げるとストッパー部の加工性が落ち、該ストッパー部の形状や寸法が不安定になり、絞り開口の中心位置を決めるためのストッパー部としての機能としては満足なものではなくなる。したがって、あまり軟らかい材質をストッパー部に用いることは出来ない。
【００３１】
そこで、ストッパー部での衝撃の吸収が十分に行われないということが無いように、ストッパー部を弾性材にするとともに、絞り羽根９とストッパー部とが当接する接触部の長さが短くなるようにストッパー部と当接する絞り羽根９の外形の接触部位形状を凸形状にして、ストッパー部と絞り羽根９との接触圧を上げて、ストッパー部を撓み易くした構成にしている。よって、ストッパー部の硬度を下げることなく、つまり加工性を落とすことなく、絞り羽根９が衝突するときの衝撃力で十分撓んでその衝撃を吸収出来るようなストッパー部構造とすることができ、絞り羽根９の回動停止位置が正確で、かつストッパー部へ突き当たるときの衝突音の小さい光量調節装置を提供することが可能となる。
【００３２】
なお、前記絞り羽根は、その絞り開口にＮＤフィルターを備えた構造のものであっても良く、同様の構造にすることにより、該絞り羽根がストッパー部へ突き当たるときの衝突音を小さくした光量調節装置とすることが出来る。
【００３３】
（実施の第２の形態）
図５は本発明の実施の第２の形態に係る、シャッタ機構を備えた光量調節装置に関し、絞り羽根の凸形状とストッパー部との接触部を拡大して示す図である。なお、その他の部分は図１及び図２と同様であるので、その説明は省略する。
【００３４】
上記実施の第１の形態では、絞り羽根９の回動停止位置を決めるストッパー部材であるところのストッパーゴム１１ａ（１１ｂ）は、地板１に設けられた角穴１ｄ（１ｅ）に嵌合保持される構成としていたが、本発明の実施の第２の形態においては、前記ストッパーゴム１１ａ（１１ｂ）の、凸形状９ｄ（９ｅ）と当接する面の対向面側に、前記ストッパーゴム１１ａ（１１ｂ）が撓んだ際にその撓んだ部分が入り込むことができる空隙１ｍ（１ｎ）を設けた構成にしている。
【００３５】
この結果、絞り羽根９が前記ストッパーゴム１１ａ（１１ｂ）に突き当たった際、該ストッパーゴム１１ａ（１１ｂ）は全体が図５の二点鎖線で示したように撓むことが可能となり、ストッパー部を更に変形しやすくさせることが出来るので、ストッパー部に、上記実施の第２の形態よりも加工性が良くなる更に硬い材質を用いても、衝突音の発生を抑えることが可能になる。よって、更に絞り羽根８の回動停止位置の精度が増し、固体差も殆どないものとすることが出来る。別言すれば、量産性に優れたものとなる。
【００３６】
なお、図５では、ストッパーゴム１１ａ（１１ｂ）に対して、地板１に設けられた角穴１ｄ（１ｅ）を均等に逃がして、空隙１ｍ（１ｎ）を設けているが、ストッパーゴム１１ａ（１１ｂ）の片側のみを持ち上げるような突起形状によって空隙を設けても、ほぼ同様な効果が得られることは言うまでもない。
【００３７】
（実施の第３の形態）
図６は本発明の実施の第３の形態に係る、シャッタ機構を備えた光量調節装置に関し、絞り羽根とストッパー部との接触部を拡大して示す図である。なお、その他の部分は図１及び図２と同様であるので，その説明は省略する。
【００３８】
上記実施の第１、第２の形態では、絞り羽根９の当接面側に凸形状を設けた例を示したが、本発明の実施の第３の形態では、ストッパー部材であるストッパーゴム１１ａ（１１ｂ）の、前記絞り羽根９の当接面側に凸形状１１ｃ（１１ｄ）を設けた例を示している。図６ではその構造が解りやすいように、絞り羽根９の当接面側にストッパーゴム１１ａ（１１ｂ）が当接する直前の状態で示している。
【００３９】
図６に示すように、ストッパーゴム１１ａ（１１ｂ）に凸形状１１ｃ（１１ｄ）を形成している。一方、ストッパーゴム１１ａ（１１ｂ）と当接する絞り羽根９の当接面側は、上記実施の第１、第２の形態とは異なり、凸形状の無い直線状の形状となっている。
【００４０】
上記実施の第３の形態によれば、絞り羽根９の回動を停止するためのストッパー部を、地板１とは別の部材、つまり弾性部材（ストッパーゴム１１ａ（１１ｂ））により構成するとともに、前記絞り羽根９と前記ストッパー部が当接した際の接触する面の長さが短くなるように、前記ストッパー部の当接面側の一方を凸形状（ストッパーゴム１１ａ（１１ｂ））にしている。
【００４１】
よって、上記実施の第１の形態と同様、絞り羽根９の当接面とストッパーゴム１１ａ（１１ｂ）の接触面積が小さくなり、接触圧が局部的に掛かることで比較的軽い力（軽量化の為に重量の軽い材質で絞り羽根は形成されているため）でも大きな圧力が掛かり、この圧力を受けてストッパーゴム１１ａ（１１ｂ）の凸形状１１ｃ（１１ｄ）が前記絞り羽根９の当接面に合わせた形に撓むので、絞り羽根９がストッパーゴム１１ａ（１１ｂ）に当接した際のいわゆる衝突音を発生させることが無くなる。
【００４２】
この実施の第３の形態においても、絞り開口にＮＤフィルターを備えた構造の絞り羽根であっても良く、同様の構造にすることにより、該絞り羽根がストッパー部へ突き当たるときの衝突音を小さくした光量調節装置とすることが出来る。
【００４３】
以上の実施の各形態によれば、従来のように地板に設けた突起形状に絞り羽根の端面を突き当てて、該絞り羽根の回動を停止して、その位置決めをするのではなく、地板１とは別部材より成るストッパー部（１１ａ（１１ｂ））を設けて、該ストッパー部に、回転軸を中心にして一方の端から他方の端まで円弧状に回転運動する、小絞り口径を設けた絞り羽根９の端面（当接面）を突き当てて、該絞り羽根９の回動停止の位置決めするようにしている。その結果、ポリカーボネート等の硬質の樹脂ではなく、ゴム等の柔らかい繊維状の物質で出来た弾性のある素材を絞り羽根９のストッパー部に用いることが可能となり、絞り羽根９がストッパー部へ突き当たるときの衝突音を小さくすることが可能となる。
【００４４】
更には、絞り羽根９とストッパー部とが当接する接触部の長さが短くなるように、ストッパー部と当接する絞り羽根９の外形の接触部位形状を凸形状にしたり、ストッパー部の当接面側を凸形状して、ストッパー部と絞り羽根９との接触圧を上げて、ストッパー部を撓み易くした構成にしているので、ストッパー部の硬度を下げることなく、つまり加工性を落とすことなく、絞り羽根９が衝突するときの衝撃力で十分撓んでその衝撃を吸収出来るようなストッパー部構造とすることが可能となる。よって、絞り羽根９の回動停止位置が正確なものとなる。
【００４５】
このことから、上記実施の第１乃至第３の形態の光量調節装置の何れかを搭載したデジタルスチルカメラを使用してのパンニング動作中に、光量が急激に変化したために光量調節の為に絞り羽根が作動しても、該絞り羽根がストッパー部へ衝突する音がマイクへ入って、雑音として記録されてしまうといったことがなくなる。
【００４６】
なお、上記実施の各形態によれば、絞り羽根のストッパー部にゴムを用いたが、フェルトや不織布、或いは合成皮革等のように、軟らかい繊維を基材とする素材をストッパー部材に用いることも可能であり、この場合もストッパー部にゴムを用いた場合と同様の効果を得ることができる。
【００４７】
以下、本発明に係る光量調節装置の実施態様の例を以下に列挙する。
【００４８】
（実施態様１）  光が通過する開口部を有する地板と、前記開口部に対して進退することで該開口部の通過光量を調節する光量調節羽根と、該光量調節羽根を回動させて前記開口部に対して進退させる駆動手段と、前記光量調節羽根の前記開口部に対しての進退時における一方から他方への回動停止位置を決めるストッパー部材とを有する光量調節装置において、前記ストッパー部材を弾性部材により構成するとともに、前記光量調節羽根と前記ストッパー部材が当接した際の接触する面の長さが短くなるように、前記光量調節羽根もしくは前記ストッパー部材の当接面側の一方を凸形状にしたことを特徴とする光量調節装置。
【００４９】
（実施態様２）  地板と、該地板に固定された羽根押え板と、前記地板と前記羽根押え板に挟まれた空隙に配置され、前記地板に設けられた開口部に対して進退する絞り羽根と、前記地板と前記羽根押え板に挟まれた空隙に配置され、前記開口部を遮光するシャッタ羽根と、前記シャッタ羽根を駆動する駆動手段と、前記絞り羽根の駆動手段と、前記絞り羽根の前記開口部に対しての進退時における一方から他方への回動停止位置を決めるストッパー部材とを有する光量調節装置において、前記ストッパー部材を、前記地板および前記羽根押え板とは別部材で構成するとともに、前記絞り羽根と前記ストッパー部材との当接する接触部の長さを、前記ストッパー部材の前記絞り羽根との当接面側の長さよりも短くしたことを特徴とする光量調節装置。
【００５０】
（実施態様３）  前記ストッパー部材の、前記絞り羽根との当接面と対向する面と前記地板との間に、前記ストッパー部材が撓むことで入り込む空隙を設けたことを特徴とする実施態様２に記載の光量調節装置。
【００５１】
（実施態様４）  地板と、該地板に固定された羽根押え板と、前記地板と前記羽根押え板に挟まれた空隙に配置され、前記地板に設けられた開口部に対して進退する絞り羽根と、前記地板と前記羽根押え板に挟まれた空隙に配置され、前記開口部を遮光するシャッタ羽根と、前記シャッタ羽根と前記絞り羽根の間に設けた仕切り板と、前記シャッタ羽根の駆動手段と、前記絞り羽根の駆動手段と、前記絞り羽根の前記開口部に対しての進退時における一方から他方への回動停止位置を決めるストッパー部材とを有する光量調節装置において、前記ストッパー部材を、前記地板、前記羽根押え板および前記仕切板とは別部材で構成するとともに、前記絞り羽根と前記ストッパー部材との当接する接触部の長さを、前記ストッパー部材の前記絞り羽根との当接面側の長さよりも短くしたことを特徴とする光量調節装置。
【００５２】
（実施態様５）  前記ストッパー部材の前記絞り羽根との当接面と対向する面と前記地板との間に、前記ストッパー部材が撓むことで入り込む空隙を設けたことを特徴とする実施態様４に記載の光量調節装置。
【００５３】
（実施態様６）  開口部が形成された地板と、該地板に固定された羽根押え板と、前記地板と前記羽根押え板に挟まれた空隙に配置され、前記開口部に対して進退する絞り羽根と、該絞り羽根の駆動手段と、前記絞り羽根の前記開口部に対しての進退時における一方から他方への回動停止位置を決めるストッパー部材とを有する光量調節装置において、前記ストッパー部材を、前記地板および前記羽根押え板とは別部材で構成するとともに、前記絞り羽根と前記ストッパー部材との当接する接触部の長さを、前記ストッパー部材の前記絞り羽根との当接面の長さよりも短くしたことを特徴とする光量調節装置。
【００５４】
（実施態様７）  前記ストッパー部材の前記絞り羽根との当接面と対向する面と前記地板との間に、前記ストッパー部材が撓むことで入り込む空隙を設けたことを特徴とする実施態様６に記載の光量調節装置。
【００５５】
【発明の効果】
以上説明したように、本発明によれば、光量調節羽根がストッパー部材に突き当たる際の衝撃音を小さくすることができる光量調節装置を提供できるものである。
【図面の簡単な説明】
【図１】本発明の実施の一形態に係るシャッタ機構を備えた光量調節装置の分解斜視図である。
【図２】図１の光量調節装置において開口部内へ絞り羽根が進入して、小絞り口径状態になった場合を示す平面図である。
【図３】図１の光量調節装置において開口部から絞り羽根が移動して、開放口径状態になった場合を示す平面図である。
【図４】図１の光量調節装置においてストッパー部分を説明するための拡大図である。
【図５】本発明の実施の第２の形態に係る光量調節装置においてストッパー部部分を説明するための拡大図である。
【図６】本発明の実施の第３の形態に係る光量調節装置においてストッパー部部分を説明するための拡大図である。
【図７】従来のシャッタ機構を備えた光量調節装置の分解斜視図である。
【符号の説明】
１              地板
１ｃ            開口部
１ｍ、１ｎ      空隙
８              シャッタ羽根
９              絞り羽根
９ｃ            絞り開口
９ｄ，９ｅ      凸形状
１０            羽根押え板
１１ａ，１１ｂ  ストッパーゴム
１１ｃ，１１ｄ  凸形状
１４            仕切板
【図１】
2004151352.tif 000003
【図２】
2004151352.tif 000004
【図３】
2004151352.tif 000005
【図４】
2004151352.tif 000006
【図５】
2004151352.tif 000007
【図６】
2004151352.tif 000008
【図７】
2004151352.tif 000009